(57)【要約】【課題】確定文字しか受け付けない仕様になっているキャリヤの携帯電話でも、外付けキーボードから携帯電話に未確定かな文字として文字を送出し、ディスプレイ上の文字列をかな漢字変換することができる携帯電話用外付けキーボードのかな入力方法を得る。【解決手段】マイクロコンピュータ９内蔵の携帯電話用外付けキーボード２のメモリ８に記憶した制御プログラム７は、携帯電話１の入力モードがかなモードであり、外付けキーボードのかなキー押し下げの際に、かなキーと送出キーコードとを関連付けたキーコード関連付けテーブル１１を参照して、押し下げられたかなキーが［あ］〜［わ］行のうちいずれかの行に属するｎ番目のかなである場合に、当該行の先頭文字が割り当てられている携帯電話の数字キーに相当するキーコードを外付けキーボードの制御部から携帯電話の制御部６にｎ回送出する制御を行うめくり制御モジュール１２を有する。【選択図】図２
2005202837.tif 000002
【特許請求の範囲】
【請求項１】
ＰＣに準拠するキー配列を有し、制御プログラムを記憶したメモリを有するマイクロコンピュータ内蔵の携帯電話用外付けキーボードのかな入力方法において、携帯電話の入力モードをかな方式とし、外付けキーボードのかなキー押し下げの際に、前記制御プログラムは、メモリに記憶してあるかなキーと送出キーコードの関連付けを参照して、押し下げられたかなキーが［あ］〜［わ］行のうちいずれかの行に属するｎ番目のかなである場合に、当該行の先頭文字が割り当てられている携帯電話の数字キーに相当するキーコードを外付けキーボードの制御部から携帯電話の制御部にｎ回送出する制御を行うめくり制御モジュールを有するものとしたことを特徴とする携帯電話用外付けキーボードのかな入力方法。
【請求項２】
前記制御プログラムは、前記めくり制御モジュールの他に、かなに対応するキーコードを直接外付けキーボードの制御部から携帯電話の制御部に送出する直接制御モジュールを有し、キーボードが携帯電話に接続されたとき、携帯電話の機種を判別し、確定文字しか受け付けない仕様の携帯電話であるときは、前記めくり制御モジュールで動作させ、未確定かな文字列を受け付ける仕様の携帯電話であるときは、直接制御モジュールで動作させるようにした請求項１記載の携帯電話用外付けキーボードのかな入力制御方法。
【請求項３】
前記制御プログラムは、外付けキーボードの入力モードが「ローマ字かな入力」モードの設定であるとき、ローマ字による「よみ」入力でかなの「よみ」を認識するローマ字‐かな変換モジュールを有するものとして構成した請求項１又は２記載の携帯電話用外付けキーボードのかな入力制御方法。
【発明の詳細な説明】
【技術分野】
【０００１】
本発明は、ＰＣ（パーソナルコンピュータ）に準拠するキー配列を有し、制御プログラムを記憶したメモリを有するマイクロコンピュータ内蔵の携帯電話用外付けキーボードのかな入力方法、特に、携帯電話のディスプレイに変換前のひらがな「よみ」文字列を出力させる方法に関するものである。
【背景技術】
【０００２】
本願人は、携帯電話を製造するメーカーとは無関係なベンチャー企業であるサードパーティーとして、各種携帯電話に外付けすることができ、ＰＣに準拠するキー配列を有し、マイクロコンピュータを内蔵する携帯電話用外付けキーボードに関する特許出願を幾つか行ってきた。これら特許出願は、リュウド（株）製の「Rboard for Keitai（TM)」として製品化されている（例えば、非特許文献１参照。）
【非特許文献１】"Rboard for Keitai"、[Online] 、リュウド株式会社、[平成１５年９月２３日検索]、インターネット＜URL＼http://www.reudo.co.jp/rboardk＞
【発明の開示】
【発明が解決しようとする課題】
【０００３】
しかし、携帯電話のキャリヤによっては、かな文字(ひらがな)キーコードを外付けキーボードから携帯電話に送出した場合に、携帯電話側に確定済みの文字としてしか入力されない仕様の携帯電話を販売しているものがある。 
即ち、このような仕様の携帯電話では、「ほ」「う」「こ」「く」という４文字を外付けキーボードから携帯電話に送出して、その後に、「報告」という漢字文字列に漢字変換しようと思っても変換することができず、「ほうこく」というひらがな文字列で確定してしまう。
【０００４】
従って、本発明の目的は、外付けキーボードからは、後で変換する必要のない「半角英数」、「全角英数」、「半角カナ」、「全角かな」の確定文字しか受け付けない仕様になっているキャリヤの携帯電話でも、外付けキーボードから携帯電話に未確定かな文字として文字を送出し、携帯電話のディスプレイに表示される文字列をかな漢字変換することができる携帯電話用外付けキーボードのかな入力方法を得るにある。
【課題を解決するための手段】
【０００５】
この目的を達成するため、本発明は、ＰＣに準拠するキー配列を有し、制御プログラムを記憶したメモリを有するマイクロコンピュータ内蔵の携帯電話用外付けキーボードのかな入力方法において、携帯電話の入力モードをかな方式とし、外付けキーボードのかなキー押し下げの際に、前記制御プログラムは、メモリに記憶してあるかなキーと送出キーコードの関連付けを参照して、押し下げられたかなキーが［あ］〜［わ］行のうちいずれかの行に属するｎ番目のかなである場合に、当該行の先頭文字が割り当てられている携帯電話の数字キーに相当するキーコードを外付けキーボードの制御部から携帯電話の制御部にｎ回送出する制御を行うめくり制御モジュールを有するものとしたことを特徴とする。
【発明の効果】
【０００６】
本発明によれば、すべての携帯電話のかな漢字変換システムにおける入力モードのかな方式が、いわゆる「かなめくり入力」方式であることに着目し、押し下げられたかなキーが［あ］〜［わ］行のうちいずれかの行に属するｎ番目のかなである場合に、当該行の先頭文字が割り当てられている携帯電話の数字キーに相当するキーコードを携帯電話の制御部にｎ回送出するようにしたため、確定文字しか受け付けない仕様になっているキャリヤの携帯電話であっても、外付けキーボードから携帯電話に未確定かな文字として文字を送出し、かな漢字変換することができる。また、この操作は、携帯電話上で一文字ずつ、それぞれ面倒なかなめくり入力をすることなく、外付けキーボード上でＰＣの文字入力と同じように、ワン・タッチで自動的に行うので、入力が容易になるという効果がある。
【発明を実施するための最良の形態】
【０００７】
本発明の好適な実施例においては、制御プログラムは、前記めくり制御モジュールの他に、かなに対応するキーコードを直接外付けキーボードの制御部から携帯電話の制御部に送出する直接制御モジュールを有し、キーボードが携帯電話に接続されたとき、携帯電話の機種を判別し、確定文字しか受け付けない仕様の携帯電話であるときは、前記めくり制御モジュールで動作させ、未確定かな文字列を受け付ける仕様の携帯電話であるときは、直接制御モジュールで動作させるようにする。
【０００８】
更に、本発明の他の好適な実施例においては、制御プログラムは、外付けキーボードの入力モードを「ローマ字かな入力」モードの設定にしたとき、ローマ字による「よみ」入力でかなの「よみ」を認識するローマ字‐かな変換モジュールを有するものとして構成する。
【０００９】
次に、図面につき本発明の好適な実施例を説明する。
【実施例】
【００１０】
図１は、携帯電話１と、この携帯電話１に外付けする本発明による外付けキーボード２とを示す。この外付けキーボード２は、携帯電話１の外部機器接続端子３に接続可能な接続ポート４を介して携帯電話１に外付けでき、また展開した折り畳み式スタンド５に立て掛けることができるようにした実施例を示す。
【００１１】
図１の実施例では、外付けキーボード２のキー入力に応じた制御信号を携帯電話１の制御部６（図２参照）に供給するとともに、携帯電話１の制御部６からのデータを取得して処理を行う制御プログラム７を記憶したメモリ８を有するマイクロコンピュータ９を内蔵する。このマイクロコンピュータ９は外付けキーボードの制御部をなし、このマイクロコンピュータ９を収納するケーシング９′、及びマイクロコンピュータ９に接続した接続ポート４は、折り畳みキーボードの左ハーフ１０ａに配置する。
【００１２】
本発明制御プログラム７は、図２に示すように、携帯電話の入力モードがかなモードであり、外付けキーボードのかなキー押し下げの際に、かなキーと送出キーコードとを関連付けた第１キーコード関連付けテーブル１１を参照して、押し下げられたかなキーが［あ］〜［わ］行のうちいずれかの行に属するｎ番目のかなである場合に、当該行の先頭文字が割り当てられている携帯電話の数字キーに相当するキーコードを外付けキーボードの制御部（マイクロコンピュータ）から携帯電話の制御部にｎ回送出する制御を行うめくり制御モジュール１２を有する。
【００１３】
これにより、入力モードをかな方式に設定した携帯電話の変換前の「よみ」入力状態で外付けキーボードから所望の「よみ」文字列、例えば「ほうこく」とキーイン（入力）すると
1.  携帯電話で［は］行が割り振られている［６］に相当するキーコードを５回送出、
2.  携帯電話で［あ］行が割り振られている［１］に相当するキーコードを３回送出、
3.  携帯電話で［か］行が割り振られている［２］に相当するキーコードを５回送出、
4.  携帯電話で［か］行が割り振られている［２］に相当するキーコードを３回送出、
して、携帯電話のディスプレイ１３には、未確定文字として「ほうこく」と変換待ち状態で表示される。この後、外付けキーボードにおける変換キーを押すことにより「報告」と変換することができる。
【００１４】
制御プログラム７は、めくり制御モジュール１２の他に、かなに対応するキーコードを直接外付けキーボードの制御部から携帯電話の制御部に送出する直接制御モジュール１３を有し、キーボードが携帯電話１に外付けされたとき、携帯電話１の機種を判別し、確定文字しか受け付けない仕様の携帯電話であるときは、めくり制御モジュール１２で動作させ、未確定かな文字列を受け付ける仕様の携帯電話であるときは、直接制御モジュール１３で動作させるようにする。この直接制御モジュール１３は、第２キーコード関連付けテーブル１４を参照してかなに直接対応するキーコードを外付けキーボードの制御部から携帯電話の制御部６に送出する。
【００１５】
上述の説明では、「ローマ字かな入力」か、「かな直接入力」かを明示しなかったが、「ローマ字かな入力」をする場合は、外付けキーボードを「ローマ字かな入力」の設定にし、外付けキーボードから［ｈｏｕｋｏｋｕ］とキーインされたとき、「ほうこく」というよみ入力であることを認識するローマ字‐かな変換モジュール１６を制御プログラム７に設ける。更に、「かな直接入力」をする場合は、外付けキーボードを「かな直接入力」の設定にし、制御プログラム７は、外付けキーボードのキー割り当てられている「かな」キーからの、例えば、「ほうこく」という文字列のよみ入力を認識する。
【００１６】
図示の実施例では、すべてのキャリヤの携帯電話に対応するものを示したが、確定文字しか受け付けない仕様の携帯電話専用にし、直接制御モジュールを持たない外付けキーボードとすることもできる。
【産業上の利用可能性】
【００１７】
従来確定文字しか受け付けない仕様の携帯電話には適用できなかった外付けキーボードを、確定文字しか受け付けない仕様の携帯電話にも適用可能とし、携帯電話のキーを使っての面倒な文字入力よりも、日頃慣れ親しんでいるＰＣ用キーボードと同じ操作体系でのびのびと容易に入力操作でき、携帯電話の便利な周辺機器として利用できる。
【図面の簡単な説明】
【００１８】
【図１】本発明方法を実施する制御プログラムを有する外付けキーボードと、携帯電話を示す線図的斜視図である。
【図２】本発明方法を実施する制御プログラムを有する外付けキーボード及び携帯電話の制御部間の関係を示すブロック図である。
【符号の説明】
【００１９】
１  携帯電話
２  外付けキーボード
３  携帯電話の部機器接続端子
４  接続ポート
５  折り畳み式スタンド
６  携帯電話の制御部
７  制御プログラム
８  メモリ
９  マイクロコンピュータ
10ａ  左ハーフ
１１  第１キーコード関連付けテーブル
１２  めくり制御モジュール
１３  携帯電話のディスプレイ
１４  直接制御モジュール
１５  第２キーコード関連付けテーブル
１６  ローマ字‐かな変換モジュール
【図１】
2005202837.tif 000003
【図２】
2005202837.tif 000004